(57)【要約】【課題】  自律的に無線媒体へのアクセスを試みる端末装置を収容しつつ、高い周波数利用効率を実現することが可能な基地局装置、端末装置及び通信方法を提供すること。【解決手段】  無線媒体を所定の期間確保するキャリアセンスを実施し、前記所定の期間の少なくとも一部に上りリンク通信期間を設定し、前記上りリンク通信期間に含まれる少なくとも１つの上りリンクサブフレーム期間において、第１の通信方式と第２の通信方式と、を選択的もしくは同時に設定し、前記上りリンクサブフレーム期間に対して設定した通信方式を示す共通制御情報を含む下りリンクサブフレームを送信し、前記第１の通信方式はスケジューリング要求を送信した端末装置が通信可能であり、前記第２の通信方式はスケジューリング要求を送信していない端末装置が通信可能である、基地局装置による。【選択図】図２
2020057824.tif 000002
【特許請求の範囲】
【請求項１】
端末装置と通信を行なう基地局装置であって、
無線媒体を所定の期間確保するキャリアセンスを実施するキャリアセンス部と、
前記所定の期間の一部に、上りリンク通信期間を設定し、前記上りリンク通信期間に含まれる少なくとも１つの上りリンクサブフレーム期間において、第１の通信方式と、第２の通信方式と、を選択的もしくは同時に設定する制御部と、
前記上りリンクサブフレーム期間に対して設定した通信方式を示す共通制御情報を含む下りリンクサブフレームを送信する送信部と、を備え、
前記第１の通信方式は、スケジューリング要求を送信した端末装置が通信可能であり、
前記第２の通信方式は、スケジューリング要求を送信していない端末装置が通信可能である、基地局装置。
【請求項２】
前記制御部は、前記上りリンクサブフレーム期間の、信号の占有期間を設定し、
前記制御部が、前記上りリンクサブフレーム期間に、前記第１の通信方式と前記第２の通信方式を同時に設定する場合、前記占有期間は、前記第１の通信方式と、前記第２の通信方式とで、共通である、請求項１に記載の基地局装置。
【請求項３】
前記第２の通信方式を設定した上りリンクサブフレーム期間において、前記端末装置が連続して送信可能な上りリンクサブフレーム数の最大値を示す情報を、前記端末装置にシグナリングする、請求項１に記載の基地局装置。
【請求項４】
前記第２の通信方式を設定した上りリンクサブフレーム期間において、前記端末装置が設定可能なインターレース番号の候補を示す情報を、前記端末装置にシグナリングする、請求項１に記載の基地局装置。
【請求項５】
前記制御部は、前記上りリンクサブフレーム期間に、複数のコンポーネントキャリアを設定可能であり、前記複数のコンポーネントキャリア毎に、前記第１の通信方式と、前記第２の通信方式と、を選択的もしくは同時に設定する、請求項１に記載の基地局装置。
【請求項６】
前記第の通信方式を設定した上りリンクサブフレーム期間において、前記端末装置が同時に設定可能な前記コンポーネントキャリアの最大数を示す情報を、前記端末装置にシグナリングする、請求項５に記載の基地局装置。
【請求項７】
前記送信部は、前記第２の通信方式を設定した上りリンクサブフレーム期間において、前記端末装置より上りリンクサブフレームを受信した場合、前記上りリンクサブフレームに関する肯定応答もしくは否定応答を、前記上りリンクサブフレーム受信後、所定の期間経過した後の指定の下りリンクサブフレームに含めて、前記端末装置に送信する、請求項１に記載の基地局装置。
【請求項８】
前記所定の期間を示す情報を、前記端末装置にシグナリングする、請求項７に記載の基地局装置。
【請求項９】
前記送信部は、前記第２の通信方式を設定した上りリンクサブフレーム期間において、信号を受信したことを示す受信応答を、前記端末装置に送信する、請求項１に記載の基地局装置。
【請求項１０】
基地局装置と通信を行なう端末装置であって、
無線媒体を所定の期間確保するキャリアセンスを実施するキャリアセンス部と、
前記基地局装置により、第１の通信方式と、第２の通信方式と、が選択的もしくは同時
に設定された上りリンクサブフレーム期間を、前記キャリアセンスにより確保した場合、上りリンクサブフレームを送信する送信部と、
前記上りリンクサブフレーム期間に対して設定された通信方式を示す共通制御情報を含む下りリンクサブフレームを受信する受信部と、を備え、
前記第１の通信方式は、前記基地局装置にスケジューリング要求を送信した場合に通信可能であり、
前記第２の通信方式は、前記基地局装置にスケジューリング要求を送信しない場合に通信可能である、端末装置。
【請求項１１】
前記キャリアセンス部が実施するキャリアセンス期間は、前記送信部が連続して送信する前記上りリンクサブフレームの数に基づいて設定される、請求項１０に記載の端末装置。
【請求項１２】
前記送信部は、前記第２の通信方式が設定された上りリンクサブフレーム期間で上りリンクサブフレームを送信する場合、前記基地局装置より設定されたインターレース番号の候補か、前記上りリンクサブフレームに設定するインターレース番号を設定する、請求項１０に記載の端末装置。
【請求項１３】
前記送信部は、前記基地局装置にスケジューリング要求を送信した場合、前記第１の通信方式と、前記第２の通信方式が同時に設定された前記上りリンクサブフレーム期間において、前記第２の通信方式に基づいて、前記上りリンクサブフレームを送信しない、請求項１０に記載の端末装置。
【請求項１４】
前記第２の通信方式が設定された上りリンクサブフレーム期間において、上りリンクサブフレームを送信してから所定の期間、前記上りリンクサブフレームに関する肯定応答もしくは否定応答のいずれも前記基地局装置より送信されなかった場合、前記上りリンクサブフレームを再送する、請求項１０に記載の端末装置。
【請求項１５】
端末装置と通信を行なう基地局装置の通信方法であって、
無線媒体を所定の期間確保するキャリアセンスを実施するステップと、
前記所定の期間の一部に、上りリンク通信期間を設定し、前記上りリンク通信期間に含まれる少なくとも１つの上りリンクサブフレーム期間において、第１の通信方式と、第２の通信方式と、を選択的もしくは同時に設定するステップと、
前記上りリンクサブフレーム期間に対して設定した通信方式を示す共通制御情報を含む下りリンクサブフレームを送信するステップと、を備え、
前記第１の通信方式は、スケジューリング要求を送信した端末装置が通信可能であり、
前記第２の通信方式は、スケジューリング要求を送信していない端末装置が通信可能である、通信方法。
【請求項１６】
基地局装置と通信を行なう端末装置の通信方法であって、
無線媒体を所定の期間確保するキャリアセンスを実施するステップと、
前記基地局装置により、第１の通信方式と、第２の通信方式と、が選択的もしくは同時に設定された上りリンクサブフレーム期間を、前記キャリアセンスにより確保した場合、上りリンクサブフレームを送信するステップと、
前記上りリンクサブフレーム期間に対して設定された通信方式を示す共通制御情報を含む下りリンクサブフレームを受信するステップと、を備え、
前記第１の通信方式は、前記基地局装置にスケジューリング要求を送信した場合に通信可能であり、
前記第２の通信方式は、前記基地局装置にスケジューリング要求を送信しない場合に通信可能である、通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によって仕様策定されたＬＴＥ（Long Term Evolution）、ＬＴＥ−Ａ（LTE-Advanced）のような通信システムでは、基地
局装置（基地局、送信局、送信点、下りリンク送信装置、上りリンク受信装置、送信アンテナ群、送信アンテナポート群、コンポーネントキャリア、ｅＮｏｄｅＢ、アクセスポイント、ＡＰ）或いは基地局装置に準じる送信局がカバーするエリアをセル（Cell）状に複数配置するセルラ構成とすることにより、通信エリアを拡大することができる。基地局装置には、端末装置（受信局、受信点、下りリンク受信装置、上りリンク送信装置、受信アンテナ群、受信アンテナポート群、ＵＥ、ステーション、ＳＴＡ）が接続する。このセルラ構成において、隣接するセルまたはセクタ間で同一周波数を利用することで、周波数利用効率を向上させることができる。
【０００３】
また、２０２０年頃の商業サービス開始を目指し、第５世代移動無線通信システム（5Gシステム）に関する研究・開発活動が盛んに行なわれている。最近、国際標準化機関である国際電気通信連合  無線通信部門（International Telecommunication Union Radio communications Sector：ＩＴＵ−Ｒ）より、５Ｇシステムの標準方式（International mobile telecommunication - 2020 and beyond：IMT-2020）に関するビジョン勧告が報告さ
れた（非特許文献１参照）。
【０００４】
通信システムがデータトラフィックの急増に対処していく上で、周波数資源の確保は重要な課題である。これまでＬＴＥに代表されるセルラーサービスを提供する通信システムが想定した周波数バンド（周波数帯域）は、無線事業者がサービスを提供する国や地域から使用許可が得られた、いわゆるライセンスバンド（licensed band）と呼ばれる周波数
バンドであり、利用可能な周波数帯域には限りがある。
【０００５】
そこで最近、国や地域からの使用許可を必要としない、いわゆるアンライセンスバンド（unlicensed band）と呼ばれる周波数バンドを用いたセルラーサービスが議論されてい
る。例えば、ＬＴＥシステムにおいては、ライセンス補助アクセス（License assisted access：ＬＡＡ）として仕様化された（非特許文献２参照）。データトラフィックの益々
の急増が予想される５Ｇシステムにおいても、アンライセンスバンドの積極活用が重要となる事が予想される。拡張ＬＡＡ（Enhanced LAA：ｅＬＡＡ）では、端末装置がアンライセンスバンドで上りリンク信号を送信することが可能となったが、端末装置は基地局装置に無線リソースの割り当てを要求し、基地局装置から無線リソースを割り当てられて、はじめて信号送信が可能である。
【０００６】
しかし、端末装置が基地局装置からの無線リソース割当を待たなければならないことは、即時性が求められる通信を行ないたい端末装置にとっては、大きな欠点要素である。そこで、端末装置が自律的に無線媒体を確保し、上りリンク通信を開始することを許容する自律送信（Autonomous transmission）をＬＡＡで行なうことが検討されており（非特許
文献３参照）、ＬＡＡの上りリンク通信の遅延時間が低減されることが期待されている。
【先行技術文献】
【非特許文献】
【０００７】
【非特許文献１】“IMT Vision - Framework and overall objectives of the future development of IMT for 2020 and beyond,” Recommendation ITU-R M.2083-0, Sept. 2015.
【０００８】
【非特許文献２】ＲＰ−１４０２５９、“Ｓｔｕｄｙ  ｏｎ  Ｌｉｃｅｎｓｅｄ−Ａｓｓｉｓｔｅｄ  Ａｃｃｅｓｓ  ｕｓｉｎｇ  ＬＴＥ、”  ３ＧＰＰ  ＴＳＧ  ＲＡＮ  Ｍｅｅｔｉｎｇ＃６３、２０１４年  ３月。
【０００９】
【非特許文献３】ＲＰ−１６２２２８、“Ｎｅｗ Ｗｏｒｋ  Ｉｔｅｍ  ｏｎ  Ｅｎｈａｎｃｅｍｅｎｔｓ  ｔｏ  ＬＴＥ  ｏｐｅｒａｔｉｏｎ  ｉｎ  ｕｎｌｉｃｅｎｓｅｄ  ｓｐｅｃｔｒｕｍ、”  ３ＧＰＰ  ＴＳＧ  ＲＡＮ  Ｍｅｅｔｉｎｇ＃７４、２０１６年１２月。
【発明の概要】
【発明が解決しようとする課題】
【００１０】
しかし、第１の端末装置が自律的に無線媒体にアクセスを試みる場合、第１の端末装置が信号を送信するタイミングは必ずしもサブフレーム境界に一致しないため、基地局装置は、第１の端末装置が送信した信号を把握できない可能性がある。また、基地局装置が無線リソースを割り当てた第２の端末装置が、同じセル内に混在した場合、自律的に無線媒体にアクセスを試みる第１の端末装置によって、第２の端末装置の通信が妨げられ、ひいては、システム全体の周波数利用効率の低下を引き起こしてしまう可能性が生ずる。
【００１１】
本発明はこのような事情を鑑みてなされたものであり、その目的は、自律的に無線媒体へのアクセスを試みる端末装置を収容しつつ、高い周波数利用効率を実現することが可能な基地局装置、端末装置及び通信方法を提供することにある。
【課題を解決するための手段】
【００１２】
上述した課題を解決するために本発明に係る基地局装置、端末装置および通信方法の構成は、次の通りである。
【００１３】
（１）本発明の一態様に係る基地局装置は、端末装置と通信を行なう基地局装置であって、端末装置と通信を行なう基地局装置であって、無線媒体を所定の期間確保するキャリアセンスを実施するキャリアセンス部と、前記所定の期間の一部に、上りリンク通信期間を設定し、前記上りリンク通信期間に含まれる少なくとも１つの上りリンクサブフレーム期間において、第１の通信方式と、第２の通信方式と、を選択的もしくは同時に設定する制御部と、前記上りリンクサブフレーム期間に対して設定した通信方式を示す共通制御情報を含む下りリンクサブフレームを送信する送信部と、を備え、前記第１の通信方式は、スケジューリング要求を送信した端末装置が通信可能であり、前記第２の通信方式は、スケジューリング要求を送信していない端末装置が通信可能である。
【００１４】
（２）また、本発明の一態様に係る基地局装置は、上記（１）に記載の基地局装置であって、前記制御部は、前記上りリンクサブフレーム期間の、信号の占有期間を設定し、前記制御部が、前記上りリンクサブフレーム期間に、前記第１の通信方式と前記第２の通信方式を同時に設定する場合、前記占有期間は、前記第１の通信方式と、前記第２の通信方式とで、共通である。
【００１５】
（３）また、本発明の一態様に係る基地局装置は、上記（１）に記載の基地局装置であって、前記第２の通信方式を設定した上りリンクサブフレーム期間において、前記端末装置が連続して送信可能な上りリンクサブフレーム数の最大値を示す情報を、前記端末装置にシグナリングする。
【００１６】
（４）また、本発明の一態様に係る基地局装置は、上記（１）に記載の基地局装置であって、前記第２の通信方式を設定した上りリンクサブフレーム期間において、前記端末装置が設定可能なインターレース番号の候補を示す情報を、前記端末装置にシグナリングする。
【００１７】
（５）また、本発明の一態様に係る基地局装置は、上記（１）に記載の基地局装置であって、前記制御部は、前記上りリンクサブフレーム期間に、複数のコンポーネントキャリアを設定可能であり、前記複数のコンポーネントキャリア毎に、前記第１の通信方式と、前記第２の通信方式と、を選択的もしくは同時に設定する。
【００１８】
（６）また、本発明の一態様に係る基地局装置は、上記（５）に記載の基地局装置であって、前記第の通信方式を設定した上りリンクサブフレーム期間において、前記端末装置が同時に設定可能な前記コンポーネントキャリアの最大数を示す情報を、前記端末装置にシグナリングする置。
【００１９】
（７）また、本発明の一態様に係る基地局装置は、上記（１）に記載の基地局装置であって、前記送信部は、前記第２の通信方式を設定した上りリンクサブフレーム期間において、前記端末装置より上りリンクサブフレームを受信した場合、前記上りリンクサブフレームに関する肯定応答もしくは否定応答を、前記上りリンクサブフレーム受信後、所定の期間経過した指定の下りリンクサブフレームに含めて、前記端末装置に送信する。
【００２０】
（８）また、本発明の一態様に係る基地局装置は、上記（７）に記載の基地局装置であって、前記所定の期間を示す情報を、前記端末装置にシグナリングする。
【００２１】
（９）また、本発明の一態様に係る基地局装置は、上記（１）に記載の基地局装置であって、前記送信部は、前記第２の通信方式を設定した上りリンクサブフレーム期間において、信号を受信したことを示す受信応答を、前記端末装置に送信する。
【００２２】
（１０）また、本発明の一態様に係る端末装置は、基地局装置と通信を行なう端末装置であって、無線媒体を所定の期間確保するキャリアセンスを実施するキャリアセンス部と、前記基地局装置により、第１の通信方式と、第２の通信方式と、が選択的もしくは同時に設定された上りリンクサブフレーム期間を、前記キャリアセンスにより確保した場合、上りリンクサブフレームを送信する送信部と、前記上りリンクサブフレーム期間に対して設定された通信方式を示す共通制御情報を含む下りリンクサブフレームを受信する受信部と、を備え、前記第１の通信方式は、前記基地局装置にスケジューリング要求を送信した場合に通信可能であり、前記第２の通信方式は、前記基地局装置にスケジューリング要求を送信しない場合に通信可能である。
【００２３】
（１１）また、本発明の一態様に係る端末装置は、上記（１０）に記載の端末装置であって、前記キャリアセンス部が実施するキャリアセンス期間は、前記送信部が連続して送信する前記上りリンクサブフレームの数に基づいて設定される。
【００２４】
（１２）また、本発明の一態様に係る端末装置は、上記（１０）に記載の端末装置であって、前記送信部は、前記第２の通信方式が設定された上りリンクサブフレーム期間で上りリンクサブフレームを送信する場合、前記基地局装置より設定されたインターレース番号の候補か、前記上りリンクサブフレームに設定するインターレース番号を設定する。
【００２５】
（１３）また、本発明の一態様に係る端末装置は、上記（１０）に記載の端末装置であって、前記送信部は、前記基地局装置にスケジューリング要求を送信した場合、前記第１の通信方式と、前記第２の通信方式が同時に設定された前記上りリンクサブフレーム期間
において、前記第２の通信方式に基づいて、前記上りリンクサブフレームを送信しない。
【００２６】
（１４）また、本発明の一態様に係る端末装置は、上記（１０）に記載の端末装置であって、前記第２の通信方式が設定された上りリンクサブフレーム期間において、上りリンクサブフレームを送信してから所定の期間、前記上りリンクサブフレームに関する肯定応答もしくは否定応答のいずれも前記基地局装置より送信されなかった場合、前記上りリンクサブフレームを再送する。
【００２７】
（１５）また、本発明の一態様に係る通信方法は、端末装置と通信を行なう基地局装置の通信方法であって、無線媒体を所定の期間確保するキャリアセンスを実施するステップと、前記所定の期間の一部に、上りリンク通信期間を設定し、前記上りリンク通信期間に含まれる少なくとも１つの上りリンクサブフレーム期間において、第１の通信方式と、第２の通信方式と、を選択的もしくは同時に設定するステップと、前記上りリンクサブフレーム期間に対して設定した通信方式を示す共通制御情報を含む下りリンクサブフレームを送信するステップと、を備え、前記第１の通信方式は、スケジューリング要求を送信した端末装置が通信可能であり、前記第２の通信方式は、スケジューリング要求を送信していない端末装置が通信可能である。
【００２８】
（１６）また、本発明の一態様に係る通信方法は、基地局装置と通信を行なう端末装置の通信方法であって、無線媒体を所定の期間確保するキャリアセンスを実施するステップと、前記基地局装置により、第１の通信方式と、第２の通信方式と、が選択的もしくは同時に設定された上りリンクサブフレーム期間を、前記キャリアセンスにより確保した場合、上りリンクサブフレームを送信するステップと、前記上りリンクサブフレーム期間に対して設定された通信方式を示す共通制御情報を含む下りリンクサブフレームを受信するステップと、を備え、前記第１の通信方式は、前記基地局装置にスケジューリング要求を送信した場合に通信可能であり、前記第２の通信方式は、前記基地局装置にスケジューリング要求を送信しない場合に通信可能である。
【発明の効果】
【００２９】
本発明によれば、自律的に無線媒体へのアクセスを試みる端末装置を収容しつつ、高い周波数利用効率を実現することが可能となる。
【図面の簡単な説明】
【００３０】
【図１】本実施形態に係る通信システムの例を示す図である
【図２】本実施形態に係るフレーム構成の一例を示す図である
【図３】本実施形態に係る基地局装置の構成例を示すブロック図である
【図４】本実施形態に係る端末装置の構成例を示すブロック図である
【発明を実施するための形態】
【００３１】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。また端末装置と接続している（無線リンクを確立している）基地局装置をサービングセルと呼ぶ。
【００３２】
本実施形態における基地局装置及び端末装置は、免許が必要な周波数帯域（ライセンスバンド）及び／又は免許不要の周波数帯域（アンライセンスバンド）で通信することができる。
【００３３】
本実施形態において、“Ｘ／Ｙ”は、“ＸまたはＹ”の意味を含む。本実施形態におい
て、“Ｘ／Ｙ”は、“ＸおよびＹ”の意味を含む。本実施形態において、“Ｘ／Ｙ”は、“Ｘおよび／またはＹ”の意味を含む。
【００３４】
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。また、端末装置２Ａ、２Ｂを総称して端末装置２とも称する。
【００３５】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３６】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００３７】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）、好適なＣＳＩ−ＲＳリソースを
示すＣＳＩ−ＲＳ（Reference Signal、参照信号）リソース指標ＣＲＩ（CSI-RS Resource Indication）などが該当する。
【００３８】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率に
より定められたインデックス（CQI Index）とすることができる。前記ＣＱＩ値は、予め
当該システムで定めたものをすることができる。
【００３９】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００４０】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００４１】
また、ＰＵＳＣＨは、ＲＲＣメッセージを送信するために用いられる。ＲＲＣメッセー
ジは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００４２】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００４３】
ＰＲＡＣＨは、ランダムアクセスプリアンブルを送信するために用いられる。
【００４４】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４５】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００４６】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００４７】
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭ（Orthogonal Frequency Division Multiplexing;直交周波数分割多重）シンボルの数）を指示する情報
を送信するために用いられる。
【００４８】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００４９】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００５０】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００５１】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００５２】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００５３】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５４】
また、上りリンクに対するＤＣＩフォーマットは、下りリンクのチャネル状態情報（ＣＳＩ；Channel State Information。受信品質情報とも称する。）を要求（CSI request）するために用いることができる。
【００５５】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５６】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００５７】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００５８】
端末装置は、下りリンクアサインメントを用いてＰＤＳＣＨのリソースがスケジュール
された場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００５９】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００６０】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００６１】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すな
わち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００６２】
ここで、ＲＲＣメッセージおよび／またはＭＡＣ  ＣＥを、上位層の信号（higher layer signaling）とも称する。
【００６３】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル状態情報報告は、定期的にチャネル状態情報を報告するモード設定（CSI report mode）
のために用いることができる。
【００６４】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００６５】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６６】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００６７】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号、端末装置固有参照信号）、ＥＰＤＣＣＨに関連するＤＭＲＳ（Demodulation Reference Signal）、ＮＺＰ  ＣＳＩ−ＲＳ（Non-Zero Power Channel State Information - Reference Signal）、ＺＰ  ＣＳＩ−ＲＳ（Zero Power Channel State Information - Reference Signal）が含まれる。
【００６８】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００６９】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００７０】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００７１】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００７２】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００７３】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００７４】
また、キャリアアグリゲーション（CA; Carrier Aggregation）をサポートしている端
末装置に対して、基地局装置は、より広帯域伝送のため複数のコンポーネントキャリア（CC; Component Carrier）を統合して通信することができる。キャリアアグリゲーション
では、１つのプライマリセル（ＰＣｅｌｌ；Primary Cell）及び１または複数のセカンダリセル（ＳＣｅｌｌ；Secondary Cell）がサービングセルの集合として設定される。
【００７５】
また、デュアルコネクティビティ（DC; Dual Connectivity）では、サービングセルの
グループとして、マスターセルグループ（MCG; Master Cell Group）とセカンダリセルグループ（SCG; Secondary Cell Group）が設定される。ＭＣＧはＰＣｅｌｌとオプション
で１又は複数のＳＣｅｌｌから構成される。またＳＣＧはプライマリＳＣｅｌｌ（ＰＳＣ
ｅｌｌ）とオプションで１又は複数のＳＣｅｌｌから構成される。
【００７６】
基地局装置は無線フレームを用いて通信することができる。無線フレームは複数のサブフレーム（サブ区間）から構成される。フレーム長を時間で表現する場合、例えば、無線フレーム長は１０ミリ秒（ms）、サブフレーム長は１msとすることができる。この例では無線フレームは１０個のサブフレームで構成される。
【００７７】
基地局装置／端末装置はアンライセンスバンドで通信することができる。基地局装置／端末装置は、ライセンスバンドがＰＣｅｌｌとなり、アンライセンスバンドで動作する少なくとも１つのＳＣｅｌｌとキャリアアグリゲーションで通信することができる。また、基地局装置／端末装置は、マスターセルグループがライセンスバンドで通信し、セカンダリセルグループがアンライセンスバンドで通信する、デュアルコネクティビティで通信することができる。また、基地局装置／端末装置は、アンライセンスバンドにおいて、ＰＣｅｌｌのみで通信することができる。また、基地局装置／端末装置は、アンライセンスバンドのみでＣＡ又はＤＣで通信することができる。なお、ライセンスバンドがＰＣｅｌｌとなり、アンライセンスバンドのセル（ＳＣｅｌｌ、ＰＳＣｅｌｌ）を、例えばＣＡ、ＤＣなどでアシストして通信することを、ＬＡＡ（Licensed-Assisted Access）とも呼ぶ。また、基地局装置／端末装置がアンライセンスバンドのみで通信することを、アンライセンススタンドアロンアクセス（ＵＬＳＡ；Unlicensed-standalone access）とも呼ぶ。また、基地局装置／端末装置がライセンスバンドのみで通信することを、ライセンスアクセス（ＬＡ；Licensed Access）とも呼ぶ。
【００７８】
無線フレームは、複数のフレーム構造を持つことができる。例えば、フレーム構造タイプ１、フレーム構造タイプ２、フレーム構造タイプ３が定義される。フレーム構造タイプ１はＦＤＤ（周波数分割複信；Frequency Division Duplex）に用いられる。ＦＤＤでは
、１０サブフレームが下りリンクに用いられる。またＦＤＤでは、１０サブフレームが上りリンクに用いられる。また上りリンクと下りリンクは異なる周波数領域に分けられる。フレーム構造タイプ２はＴＤＤ（時間分割複信；Time Division Duplex）に用いられる。ＴＤＤでは１０サブフレームが上りリンクと下りリンクに用いられる。フレーム構造タイプ３は、アンライセンスバンドでの通信に用いられる。フレーム構造タイプ３では、無線フレーム内の１０サブフレームが下りリンク又は上りリンクの伝送に用いられる。下りリンク／上りリンク伝送は、１又は複数の連続サブフレームを占めることができる。また、下りリンク／上りリンクの伝送は、サブフレーム内のいずれかの位置（時間、ＯＦＤＭ／ＳＣ−ＦＤＭＡシンボルなど）から伝送を開始することができる。また、下りリンク／上りリンクの伝送は、サブフレーム内のいずれかの位置（時間、ＯＦＤＭ／ＳＣ−ＦＤＭＡシンボルなど）で伝送を終了することができる。
【００７９】
アンライセンスバンドで通信する場合、本実施形態の基地局装置及び／又は端末装置は、キャリア（チャネル）センスにより伝送前に他の通信機器が通信しているか否かを評価するＬＢＴ（Listen Before Talk）をする必要がある。基地局装置／端末装置は、ＬＢＴ後に、ある期間チャネルを占有できる。ＬＢＴは、固定期間のキャリアセンスを行うことを含む。またＬＢＴは、ランダムな期間のキャリアセンスを行うことを含む。チャネルを占有できる期間の最大値は、ＭＣＯＴ（Maximum Channel Occupancy Time）と呼ぶ。また、ＭＣＯＴはデータの優先度によって変わる。データの優先度は優先度クラス（チャネルアクセスプライオリティクラス）で表現することができる。優先度クラスは、優先度が高い順に、１、２、３、４で示される。また、優先度クラスによってＬＢＴに必要なランダムな期間の最大値も変わり得る。
【００８０】
アンライセンスバンドのキャリアで通信する場合、基地局装置は、エネルギー検出閾値は最大エネルギー検出閾値以下となるようにエネルギー検出閾値を設定する。エネルギー
検出閾値は、キャリアセンスの際に、他の通信装置が通信を行っているか否か（アイドルかビジーか）を判断するために用いられる。そのキャリアを共有する他の技術が存在しているか否かによって、最大エネルギー検出閾値は異なる。ここでは、他の技術が存在している場合の最大エネルギー検出閾値を第１の閾値、他の技術が存在していない場合の最大エネルギー検出閾値を第２の閾値と呼ぶ。第１の閾値は第２の閾値よりも大きい。また、第２の閾値は、帯域幅、送信電力などによって変化する。アンライセンスバンドでキャリアアグリゲーションによって複数のキャリアを送信する場合、基地局装置は、複数のキャリアの各々でＬＢＴするか、複数のキャリアから選択された１つのキャリアでＬＢＴしてから、信号を送信することができる。なお、基地局装置は、複数のキャリアから選択された１つのキャリアでＬＢＴする場合、その他のキャリアは選択された１つのキャリアで送信する前に２５マイクロ秒でキャリアセンスを行い、アイドルであれば送信できる。
【００８１】
端末装置は、タイプ１又はタイプ２の決められた上りリンクのチャネルアクセス手順に従えば、アンライセンスバンドで上りリンク送信を実行することができる。タイプ１チャネルアクセス手順はランダムな期間でキャリアセンスし、タイプ２チャネルアクセス手順は固定期間でキャリアセンスする。チャネルアクセスタイプは基地局装置から指示される。端末装置が占有できる最大期間はＵＬＭＣＯＴ（Ｕｐｌｉｎｋ  ＭＣＯＴ）と呼ぶ。端末装置は、基地局装置から他の技術が存在していないことを示す情報を上位層の信号で受信する。他の技術が存在していないことを示す情報を受信した場合で、プライオリティが低い場合（例えばプライオリティクラスが３、４の場合）、ＵＬＭＣＯＴはＭＣＯＴよりも短い。
【００８２】
アンライセンスバンドで、キャリアアグリゲーションで複数のキャリア（セル）を上りリンク送信する場合、端末装置は複数のキャリアのうちのランダムに選んだ１つのキャリアではチャネルアクセスタイプ１を用い、その他のキャリアではチャネルアクセスタイプ２を用いる。また、基地局装置が獲得したＭＣＯＴ内での上りリンク伝送の場合、基地局装置は端末装置にチャネルアクセスタイプ２を用いることを指示することができる。
【００８３】
ＬＢＴのため送信できるタイミングは変わってしまうため、基地局装置／端末装置は、サブフレームの一部を用いて伝送を開始することができる。また基地局装置／端末装置は、サブフレームの一部を用いて伝送を終了することができる。なお、一部を用いて通信するサブフレームを部分サブフレーム（パーシャルサブフレーム）とも呼ぶ。また、伝送を開始するサブフレームを開始部分サブフレーム（スタートパーシャルサブフレーム、スターティングパーシャルサブフレーム）とも呼ぶ。また伝送を終了する部分サブフレームを終了パーシャルサブフレーム（エンドパーシャルサブフレーム、エンディングパーシャルサブフレーム）とも呼ぶ。
【００８４】
また、アンライセンスバンドで通信する場合、基地局装置は１又は複数のサブフレームを端末装置に１つの下りリンク制御情報を用いて割当てることができる
【００８５】
基地局装置は、サブフレーム単位、スロット単位又はミニスロット単位で下りリンク伝送を開始することができる。例えば基地局装置は、サブフレーム内のスタートポジションとしてサブフレーム単位で伝送を開始するかスロット単位で伝送を開始するかを示す情報を端末装置に送信することができる。端末装置は、基地局装置からサブフレーム内のスタートポジションがサブフレーム単位で伝送を開始することを示す場合、サブフレーム毎に制御チャネルをモニタする。また端末装置は、基地局装置からサブフレーム内のスタートポジションがスロット単位で伝送を開始することを示す場合、スロット毎に制御チャネルをモニタする。また、ミニスロットはスロットよりも短い単位で、例えば２ＯＦＤＭシンボルとすることができる。基地局装置は、サブフレーム単位、スロット単位又はミニスロット単位で伝送を開始することを示す情報を端末装置に送信することができる。ミニスロ
ット単位で伝送が開始される可能性がある場合、端末装置はミニスロット配置に関連する制御チャネル（制御信号、制御信号フォーマット）をモニタする。また、ミニスロット配置に関連する制御チャネルは、スロットの前方又は後方に配置される。
【００８６】
基地局装置は、ＯＦＤＭシンボル単位で下りリンク伝送を終了することができる。基地局装置は、セル内共通の下りリンク制御情報／チャネル（共通下りリンク制御情報、共通下りリンク制御チャネルとも呼ぶ）で、アンライセンスバンドの下りリンクサブフレーム構成を送信する。アンライセンスバンドの下りリンクのサブフレーム構成は次のサブフレーム又は今のサブフレームにおいて信号が占められているＯＦＤＭシンボル数を示す。基地局装置は、共通下りリンク制御チャネルをＣＣ−ＲＮＴＩ（Common Cell - Radio Network Temporary Identifier）でマスクして送信する。Ｃ―ＲＮＴＩは基地局装置が端末装置に一時的に割当てる識別子であり、ＣＣ−ＲＮＴＩはセル内で共通の識別子である。端末装置は共通下りリンク制御チャネルをＣＣ−ＲＮＴＩを用いて復号する。なお、端末装置は自分宛ての下りリンク制御チャネルはＣ−ＲＮＴＩで復号する。
【００８７】
アンライセンスバンドで通信する場合において、サブフレームのＰＵＳＣＨの開始位置を下りリンク制御情報に含めて送信することができる。ＰＵＳＣＨの開始位置は、サブフレームの最初のシンボル（ＳＣ−ＦＤＭＡシンボル０）、最初のシンボルから２５マイクロ秒、最初のシンボルから２５マイクロ秒＋タイミングアドバンス、サブフレームの２番目のシンボル（ＳＣ−ＦＤＭＡシンボル１）の４通りを示す。なお、タイミングアドバンスは端末装置の送信タイミングを調整するためのオフセットである。なお、ＰＵＳＣＨの開始位置が最初のシンボルの２５マイクロ秒又は２５マイクロ秒＋タイミングアドバンスを示す場合、端末装置は開始位置と２番目のシンボルとの間の期間を２番目のシンボルのＣＰを長くして送信することができる。また基地局装置は、サブフレームのＰＵＳＣＨの終了シンボルを示す情報を下りリンク制御情報に含めて送信することができる。ＰＵＳＣＨの終了シンボルを示す情報は、サブフレームの最後のＳＣ−ＦＤＭＡシンボルを送信するか否かを示す。言い換えると、ＰＵＳＣＨの終了シンボルを示す情報は、サブフレームの最後のＳＣ−ＦＤＭＡシンボルまで信号を送信するか、最後から２番目のＳＣ−ＦＤＭＡシンボルまで信号を送信するかを示す。例えば、基地局装置が端末装置を１つの上りリンクサブフレームに割り当てた場合、ＰＵＳＣＨの開始位置が最初のシンボル以外を示し、ＰＵＳＣＨの終了シンボルが最後のＳＣ−ＦＤＭＡシンボルを送信しないことを示す場合、端末装置は２番目のＳＣ−ＦＤＭＡシンボル（ＳＣ−ＦＤＭＡシンボル１）から１３番目のＳＣ−ＦＤＭＡシンボル（ＳＣ−ＦＤＭＡシンボル１２）を用いてそのサブフレームのＰＵＳＣＨを送信する。また、基地局装置が端末装置を複数の上りリンクサブフレームに割り当てた場合、ＰＵＳＣＨの終了シンボルを示す情報は、割当てられた連続サブフレームの最後のサブフレームの終了シンボルの情報を示す。
【００８８】
基地局装置は、アンライセンスバンドにおける上りリンク（ＰＵＳＣＨ）のスケジューリングに対して用いる下りリンク制御情報を送信する。１つのサブフレームの上りリンクスケジューリングに用いる下りリンク制御情報と複数サブフレームの上りリンクスケジューリングに用いる下りリンク制御情報は異なる下りリンク制御情報フォーマットとすることができる。１つのサブフレームの上りリンクスケジューリングに用いる下りリンク制御情報は、ＰＵＳＣＨトリガＡ、タイミングオフセット、上りリンクのリソースブロック割当て、ＭＣＳ、ＰＵＳＣＨ開始位置、ＰＵＳＣＨ終了シンボル、チャネルアクセスタイプ、チャネルアクセスプライオリティクラスの一部又は全部が含まれる。ＰＵＳＣＨトリガＡは、トリガされたスケジューリング（トリガＡ＝０）かトリガされていないスケジューリング（トリガＡ＝１）かを示す。タイミングオフセットは、ＰＵＳＣＨトリガＡがトリガされていないスケジューリングを示す場合（トリガＡ＝０の場合）、ＰＵＳＣＨ送信の絶対値のタイミングオフセット（スケジューリング遅延）を示す。つまり端末装置はこのタイミングオフセットでＰＵＳＣＨを送信する。また、ＰＵＳＣＨトリガＡがトリガされ
たスケジューリングを示す場合（トリガＡ＝１の場合）、ＰＵＳＣＨ送信の相対的なタイミングオフセット及びトリガされたＰＵＳＣＨのスケジューリングが有効（valid）にな
る時間窓（期間）を示す。チャネルアクセスタイプは、ランダムな期間のキャリアセンス（タイプ１）か固定期間のキャリアセンス（タイプ２）かを示す。また、複数サブフレームの上りリンクスケジューリングに用いる下りリンク制御情報はＰＵＳＣＨトリガＡ、タイミングオフセット、リソースブロック割当て、ＭＣＳ、ＰＵＳＣＨ開始位置、ＰＵＳＣＨ終了シンボル、チャネルアクセスタイプ、チャネルアクセスプライオリティクラス、スケジュールされたサブフレーム数の一部又は全部が含まれる。なお、スケジュールされるサブフレーム数の最大値は、上位層の信号で基地局装置から端末装置に伝達される。
【００８９】
アンライセンスバンドでは、上りリンクのリソースブロックは、システム帯域のサブバンドで電力スペクトル密度の規制を満たすため、離散的に割当てられる。下りリンク制御情報に含まれる上りリンクのリソースブロック割当ては、スタートリソースブロック、割当てリソースブロック数を含む。例えば、上りリンクのリソースブロックは、１０リソースブロック毎に配置される。このときスタートリソースブロックは１０通りとなる。なお、このようなスタートリソースブロックから一定間隔で配置される割当てをインターレース配置（インターレース構造）とも呼び、１つの端末装置に１又は複数のインターレース配置が割当てられる。
【００９０】
アンライセンスバンドにおいて、基地局装置は、１つのサブフレームで最大４個の上りリンクのスケジューリングのための下りリンク制御情報を１つの端末装置に送信することができる。また、基地局装置は、端末装置の下りリンク制御チャネルのモニタに係る演算量を低減するため、下りリンク制御情報フォーマット毎にモニタを要求するか否かを示す情報を送信することができる。このとき端末装置は、基地局装置の指示によってモニタを要求されない下りリンク制御情報フォーマットはモニタしない。
【００９１】
基地局装置は、共通下りリンク制御情報に、上りリンクの伝送期間と上りリンクオフセットを示す情報、ＰＵＳＣＨトリガＢを含めて送信することができる。上りリンクの伝送期間と上りリンクオフセットを示す情報は、上りリンクオフセットと上りリンク期間を示す。上りリンクオフセットをｄ、上りリンク期間をｅとすると、端末装置はサブフレームｎで共通下りリンク制御情報を検出した場合、サブフレームｎ＋ｄ＋ｉ（ｉ＝０、１、．．．、ｅ−１）で下りリンクの物理チャネル／物理信号を受信しなくてもよい。
【００９２】
端末装置は、サブフレームｎの下りリンク制御情報に含まれるトリガＡの値が０のとき、又は、サブフレームｎ−ｖから最も近い下りリンク制御情報に含まれるトリガＡの値が１でサブフレームｎの共通下りリンク制御情報に含まれるトリガBの値が１のとき、サブ
フレームｎ＋ｄ＋ｋ＋ｉでＰＵＳＣＨを送信する。ｉは０からＮ−１で、Ｎはスケジューリングされた連続サブフレーム数を示す。トリガＡ＝０のとき、ｋは下りリンク制御情報に含まれるタイミングオフセットによって得られる。トリガＡ＝１のとき、下りリンク制御情報に含まれるタイミングオフセットによって、相対的なタイミングオフセットからｋが、スケジューリング有効期間からｖが得られる。また、トリガＡ＝０のとき、ｄ＝４である。またトリガＡ＝１のとき、ｄは共通下りリンク制御情報から得られる上りリンクオフセットである。また、ｄ＋ｋの最小値は端末の能力となる。
【００９３】
端末装置は、サブフレームｎの共通下りリンク制御情報で上りリンクオフセットｄと上りリンク期間ｅが得られた場合で、サブフレームｎ＋ｄ＋ｅ−１かそれよりも前に端末装置の伝送が終わる場合、チャネルアクセスタイプ２を用いて上りリンクの送信をすることができる。また、端末装置は、１つの下りリンク制御情報で複数サブフレームをスケジューリングされた場合、最後のサブフレーム以外のサブフレームでのキャリアセンスに失敗した場合、次のサブフレームでの伝送を試みる。
【００９４】
本実施形態に係る端末装置は、基地局装置から提供されるスケジューリング情報に依らず、アンライセンスバンドにアクセスすることができる。すなわち、本実施形態に係る端末装置は、自律的にアンライセンスバンドを用いて上りリンクサブフレーム／信号／チャネルを送信することができる。
【００９５】
図２は本実施形態に係る基地局装置および端末装置のアンライセンスバンドにおけるフレーム送信の一例を示す概要図である。図２において、サブフレーム期間２０１ａおよびサブフレーム期間２０１ｂは下りリンクサブフレーム期間を示し、サブフレーム期間２０２は上りリンクサブフレーム期間を示す。また、時間区間２０３は、基地局装置がＬＢＴによって確保したＭＣＯＴ期間を示す。以下ではサブフレーム長は１ｍｓであるものとして説明を行なう。そのため、図２においてＭＣＯＴ期間は８ｍｓとなる。なお、本実施形態に係る説明は、サブフレーム長、ＭＣＯＴ期間、および下りリンクサブフレーム数と上りリンクサブフレーム数の比率は図２に示す一例に限定されない。
【００９６】
基地局装置は、ＬＢＴによって確保したＭＣＯＴ内に、上りリンク送信期間を設定することができる。図２を例にとれば、基地局装置は、４ｍｓの上りリンク送信期間を設定することができる。本実施形態に係る基地局装置は、該上りリンク送信期間に対して、第１の通信方式と第２の通信方式と、を選択的に、もしくは同時に設定することができる。
【００９７】
ここで、第１の通信方式は、基地局装置が端末装置に対して、スケジューリング情報を提供し、端末装置は、該スケジューリング情報に応じて、上りリンクサブフレームを送信するサブフレーム位置、および周波数位置（例えばインターレース番号（配置））を決定し、上りリンクサブフレームを送信する通信方式であることができる。以下では、第１の通信方式をスケジュールドアクセス上りリンク送信（Scheduled Access uplink transmission）、もしくはスケジュールドアクセス（Scheduled Access）、もしくはスケジュールド送信（Scheduled transmission）、もしくはグラントアクセス（grant access）とも呼ぶ。すなわち、第１の通信方式は、端末装置が基地局装置から提供されるスケジューリング情報が無ければ、上りリンクサブフレームを送信しない通信方式であるともいえる。
【００９８】
ここで、第２の通信方式は、端末装置は、該上りリンクサブフレームを送信するサブフレーム位置、および周波数位置（例えばインターレース番号（配置））の少なくとも一部を、基地局装置より設定されることなく、上りリンクサブフレームを送信する通信方式であることができる。以下では、第２の通信方式を自律アクセス上りリンク送信（Autonomous Access uplink transmission）、もしくは自律アクセス（Autonomous Access）、もしくは自律送信（Autonomous transmission）、もしくはグラントフリーアクセス（grant-free access）、もしくはグラントレスアクセス（grant-less access）とも呼ぶ。すなわ
ち、第２の通信方式において、端末装置が基地局装置から提供されるスケジューリング情報は、第１の通信方式よりも少ない通信方式であるといえる。ここで、スケジューリング情報が少ないということは、スケジューリング情報に含まれる各項目の情報量が少ない状態（例えば、第１の通信方式は、周波数位置を示す情報が４ビットで提供されるのに対して、第２の通信方式は、周波数位置を示す情報が２ビットで提供される状態）、スケジューリング情報に含まれる項目数が少ない状態（例えば、第１の通信方式は、サブフレーム位置と周波数位置を示す情報が提供されるのに対して、第２の通信方式は、周波数位置を示す情報しか提供されない状態）を指すことができる。また、第２の通信方式は、共通下りリンク制御情報に基づいて、上りリンク送信してもよい。
【００９９】
基地局装置は、自装置が獲得するＭＣＯＴ内に設定する上りリンクサブフレーム期間に、第２の通信方式を設定する上りリンクサブフレーム期間を設定するか否かに従って、ＭＣＯＴを獲得する際に行なうＬＢＴの期間を異なる値に設定することができるし、コンテ
ンションウィンドウの最大値や候補値の数を異なる値に設定することができる。
【０１００】
基地局装置は、上りリンク送信期間を設定した上りリンクサブフレーム期間より前に送信する下りリンクサブフレームが含む制御情報（例えば共通制御情報、共通ＤＣＩ、ＲＲＣシグナリング）に、基地局装置が該サブフレーム期間に、スケジュールド送信を設定したか、自律送信を設定したか、またはその両方を設定したかを示す情報（例えばTransmission type information）、または該情報を示す値（例えばTransmission type indication）を含むことができる。なお、共通ＤＣＩが関連付けられる上りリンクサブフレーム期
間の位置は、固定的（例えば、該共通ＤＣＩを含む下りリンクサブフレームが受信されてから４サブフレーム期間後の上りリンクサブフレーム期間に関連付けられる）に端末装置は認識しても良い。また、共通ＤＣＩが関連付けられる上りリンクサブフレーム期間の位置を示す情報を、共通ＤＣＩに含めて基地局装置が端末装置に通知してもよい。また、基地局装置は、共通ＤＣＩが関連付けられる上りリンクサブフレーム期間の位置を示す情報を、上位レイヤのシグナリングで端末装置に通知してもよい。また、基地局装置は、自装置に接続している全ての端末装置に対して、自律送信の設定情報を通知する必要は、必ずしもない。基地局装置は、指定した複数の端末装置に対してのみ自律送信の設定情報を通知することもできる。この場合、基地局装置は、端末装置がＰＤＣＣＨに対して行なうブラインドデコードの新たな候補（例えば、新たなスクランブルＩＤを設定する）として、自律送信の設定情報を含むＤＣＩを、ＰＤＣＣＨに設定して送信することができる。
【０１０１】
上りリンクサブフレーム期間に設定した送信方法を示す情報は、ＭＣＯＴ内の全ての上りリンクサブフレーム期間に対して設定された送信方法を示すことができる。上りリンクサブフレーム期間に設定した送信方法を示す情報は、ＭＣＯＴ内の上りリンクサブフレーム期間それぞれに対して設定された送信方法を示すことができる。つまり、本実施形態に係る基地局装置は、上りリンク送信期間に、複数の上りリンクサブフレーム期間が含まれる場合、上りリンクサブフレーム期間毎に、送信方法をそれぞれ設定することができる。
【０１０２】
基地局装置によって、自律送信が設定された上りリンクサブフレーム期間において、端末装置は、自律的にアンライセンスバンドで上りリンクサブフレームを送信することができる。例えば、端末装置は、該上りリンクサブフレーム期間において、キャリアセンスを行ない、当該アンライセンスバンドがアイドル状態と判断できれば、該上りリンクサブフレーム期間において、上りリンクサブフレームを送信することができる。端末装置は、キャリアセンスを行なう場合、所定の期間（例えばDefer period）、該アンライセンスバンドがアイドル状態と判断できれば、上りリンクサブフレーム送信を開始することができる。なお、所定の期間の長さは何か限定されるものではないが、例えば２５ｕｓと設定されることができる。また、端末装置は、キャリアセンスを行なう場合、所定の期間に加えて、ランダムに設定した期間（ランダムバックオフ期間、コンテンションウィンドウ期間）だけ、該アンライセンスバンドがアイドル状態と判断できれば、上りリンクサブフレームの送信を開始することができる。
【０１０３】
本実施形態に係る端末装置は、自律送信が設定された上りリンクサブフレーム期間において、複数の上りリンクサブフレームを連続して送信することが可能である。基地局装置は、端末装置に対して、１を上回る複数のサブフレーム送信を、自律送信を設定した上りリンクサブフレーム期間において、許容するか否か（または設定するか否か）示す情報を、制御情報に含めて、端末装置に通知することができる。このとき、基地局装置は、端末装置に対して、連続して送信できる最大の上りリンクサブフレーム数を通知することができる。なお、端末装置は、連続して送信するサブフレーム数に応じて、キャリアセンスを行なう期間を変更することができる。例えば、本実施形態に係る端末装置が、２つの上りリンクサブフレームを連続して送信する前に実施するキャリアセンス期間は、端末装置が１つの上りリンクサブフレームを送信する前に実施するキャリアセンス期間より長く設定
することができる。つまり、端末装置が占有することが期待される時間リソースが大きいほど、キャリアセンス期間を長く設定するということである。なお、キャリアセンス期間が長く設定することは、端末装置が所定の期間を長く設定することや、ランダムバックオフ動作やコンテンションウィンドウ動作を行なう際に選択する乱数の最大値を大きく設定することや、該乱数の最大値の候補の数や、候補に含まれる値を大きく設定することを指す。
【０１０４】
端末装置は、自律送信が設定された上りリンクサブフレーム期間で上りリンクサブフレームを送信する場合、上りリンクサブフレームの一部に、アイドル期間（無送信期間、ヌル期間）を設定することができる。このように設定することで、自装置や他の端末装置が該アイドル期間において、キャリアセンスを行なうことができるから、自律送信が設定された上りリンクサブフレームを、公平に使用することが可能となる。無送信期間の位置は、サブフレームの先頭でも良いし、終端でも良いし、サブフレーム内でも良いし、アイドル期間の位置は複数設定されてもよい。また、アイドル期間の長さは、絶対時間で設定されても良いし、送信シンボルを単位として設定されても良い。しかし、自律送信を行なう端末装置同士が、それぞれ上りリンクサブフレームの異なる位置にアイドル期間を設定したり、アイドル期間の長さを異なる値に設定したりした場合、アンライセンスバンド内で無送信区間が発生しない状況が発生してしまい、他の端末装置が正しくキャリアセンスを行なうことができない状況が発生する可能性が出てくる。そこで、本実施形態に係る端末装置は、自律送信で送信する上りリンクサブフレームに与えるアイドル期間の位置、およびアイドル期間の長さを、他の端末装置と同じ位置、および値に設定することができる。そのため、基地局装置は、端末装置に対して、端末装置が自律送信を行なう際に上りリンクサブフレームに与えるアイドル期間の位置、およびアイドル期間の長さを示す情報を、通知することができる。例えば、基地局装置は、該アイドル期間の位置、およびアイドル期間の長さを示す情報を、共通ＤＣＩや個別ＤＣＩで送信することができる。このように設定されることで、本実施形態に係る端末装置は、自律送信が設定された上りリンクサブフレーム期間の所定の位置で、キャリアセンスを行なうことができる。なお、基地局装置は、共通ＤＣＩや個別ＤＣＩで、信号／チャネルの送信期間（占有期間）を示すことができる。この場合、端末装置は、信号／チャネルの送信期間（占有期間）以外の期間をアイドル期間と判断することができる。
【０１０５】
なお、端末装置は、自律送信を行なう場合と、スケジュールド送信を行なう場合とで、キャリアセンスを行なう際の電力閾値の値を、同じ値とすることができる。また、端末装置は、自律送信を行なう場合と、スケジュールド送信を行なう場合とで、キャリアセンスを行なう際の電力閾値の値を異なる値とすることができる。端末装置は、自律送信を行なう場合、スケジュールド送信を行なう場合よりも、低いキャリアセンスレベルを用いることができる。この場合、端末装置が自律送信を行なうことで発生する、基地局装置が制御できない干渉電力が低下するから、システム全体の受信品質を改善できる。一方で、端末装置は、自律送信を行なう場合、スケジュールド送信を行なう場合よりも、高いキャリアセンスレベルを用いることができる。このように制御することで、端末装置は、より低遅延に上りリンクサブフレームを送信できる可能性を高めることができる。
【０１０６】
端末装置は、上りリンクサブフレームを、自律送信を用いて送信する場合、スペクトルが一定間隔で割り当てられたインターレース配置を備えた信号を送信することができる。ここで、インターレース配置の候補がＮ個存在する場合、端末装置は、Ｎ個のインターレース配置候補のうち、何れか１つ、または複数をランダムに選択することができる。また、基地局装置は、端末装置に対して、自律送信を用いて送信する場合に選択可能なインターレース配置候補を設定することができる。この場合、端末装置は、基地局装置から設定されたインターレース配置候補のうち、何れか１つ、または複数をランダムに選択することができる。なお、基地局装置は、端末装置に対して、インターレース配置候補を複数選
択することを許容するか否か（または設定するか否か）を示す情報又は端末装置が選択可能なインターレース配置の最大数を、端末装置に通知することができる。端末装置は、該情報に基づいて、自装置が複数のインターレース配置候補を選択するか否かを設定することができる。なお、端末装置が複数のインターレース配置候補を選択する場合、インターレース配置候補を１つ選択する場合より、キャリアセンス期間を長く設定することができる。つまり、端末装置が占有することが期待される周波数リソースが大きい場合ほど、キャリアセンス期間を長く設定するということである。
【０１０７】
なお、本実施形態に係る端末装置は、自律送信を行なう際に、他の端末装置との衝突を回避するために、送信開始タイミングをランダム化するランダムバックオフ処理を行なうことができる。本実施形態に係る端末装置は、ランダムバックオフ動作を時間領域で行ってもよいし、周波数領域で行っても良いし、両方の領域で行ってもよい。端末装置が、時間領域でランダムバックオフ動作を行なう場合、端末装置は、自装置が上りリンクサブフレームを送信開始することが期待されるフレーム境界時間から、遡って、所定の期間と端末装置が取得した乱数から算出される期間（例えばＣＷ）だけ、キャリアセンスを行ない、その間、アンライセンスバンドがアイドル状態であると判断できた場合、上りリンクサブフレームの送信を開始することができる。
【０１０８】
ランダムバックオフ動作を周波数領域で行なう場合、端末装置は、先に説明したインターレース配置候補のうち、何れか１つをランダムに選択することで、ランダムバックオフ動作を行なうことができる。このとき、上りリンクサブフレーム送信を行なう前に、時間領域で所定の期間（例えばDefer period）だけキャリアセンスを実施し、その間、アンライセンスバンドがアイドル状態であると判断できた場合、端末装置は、ランダムに選択したインターレース配置を用いて、上りリンクサブフレームを送信することができる。端末装置は、設定可能なインターレース配置候補の数に基づいて、キャリアセンス期間を決定することができる。端末装置は、設定可能なインターレース候補の数が多い場合、インターレース候補の数が少ない場合よりも、キャリアセンスの期間を長く設定することができる。ランダムバックオフ動作を周波数領域で行なうことで、端末装置は、常に所定のタイミングで上りリンクサブフレームを送信することができるから、他の端末装置との間で、ＦＤＭＡで多重されることが可能となる。
【０１０９】
端末装置は、チャネルアクセスプライオリティを選択することで、インターレース候補の数を設定することができる。さらに、本実施形態に係る端末装置は、チャネルアクセスプライオリティを選択することで、連続して送信可能なサブフレーム数を設定することができる。本実施形態に係る端末装置は、自律送信が設定された上りリンクサブフレーム期間で上りリンクサブフレームを送信する際に選択するチャネルアクセスプライオリティ毎に、送信するインターレース候補、設定可能なインターレース候補数、送信するサブフレーム数、連続して送信可能なサブフレーム数、設定するＭＣＳ（及びストリーム数）、設定可能なＭＣＳ（及びストリーム数）の候補数、送信するＲＶ、選択可能なＲＶの候補数、最大ＣＡ数、設定するＣＡ数、の少なくとも１つが設定されることが可能である。
【０１１０】
また、端末装置は、時間領域で行なうランダムバックオフ動作と同様に、乱数とバックオフカウンターに基づいて周波数領域のランダムバックオフ動作を行なうことができる。例えば、端末装置は、自装置が取得した乱数に基づいて、コンテンションウィンドウ値ＣＷを取得する。そして、自律送信が設定された上りリンクサブフレームのフレーム開始境界、もしくは自律送信が設定された上りリンクサブフレームを含む上りリンク送信期間の開始境界が訪れるたびに、ＣＷから所定の値を減算して、ＣＷの値をアップデートすることができる。そして、ＣＷの値が０となったならば、ＣＷの値が０となったフレーム開始境界の次の自律送信が設定された上りリンクサブフレーム期間において、端末装置は、上りリンクサブフレームを送信することができる。なお、ＣＷから減算される所定の値は、
基地局装置から設定されることができるし、他の無線パラメータ（例えば、選択可能なインターレース候補の総数）を用いることができる。また、端末装置は、連続して送信するサブフレーム数や、同時に選択するインターレース候補の数に基づいて、ＣＷから減算される所定の値を選択することができる。このとき、端末装置は、連続して送信するサブフレーム数が複数であったり、同時に選択するインターレース候補が複数であった場合、送信するサブフレーム数が１つであったり、選択するインターレース候補が１つであった場合と比較して、ＣＷから減算される所定の値を小さく設定することができる。つまり、本実施形態にかかる端末装置は、占有することが期待される時間リソースおよび周波数リソース（併せて無線リソース）が少ないほど、ＣＷが速やかに０に到達するから、送信権を獲得できる確率を高くすることが可能となる。
【０１１１】
本実施形態に係る基地局装置は、上りリンクサブフレーム期間に、自律送信とスケジュールド送信を同時に設定することができる。この場合、基地局装置は、下りリンクの制御情報を用いて、所定の上りリンクサブフレーム期間に、自律送信とスケジュールド送信を同時に設定していることを、端末装置に通知することができる。なお、基地局装置は、所定の上りリンクサブフレーム期間に、自律送信を設定していることを、端末装置に通知するだけでもよい。基地局装置は、該上りリンクサブフレーム期間の無線リソースを、自律送信用と、スケジュールド送信用にそれぞれ割り当てることができる。例えば、端末装置が上りリンクサブフレームを送信する際に、インターレース信号を送信することができる場合、基地局装置は、端末装置が設定可能なインターレース候補の一部をスケジュールド送信に割り当て、残りのインターレース候補を自律送信に割り当てることができる。この場合、基地局装置は、下りリンクの制御情報（例えば共通ＤＣＩ）に、自律送信に割り当てたインターレースの候補を示す情報を含めて、端末装置に通知することができる。また、基地局装置は、スケジュールド送信に割り当てたインターレース候補のうち、実際に所定の端末装置に割り当てたインターレース番号を示す情報を、下りリンクの制御情報（例えば個別ＤＣＩ）を用いて、該端末装置に通知することができる。このように制御することで、基地局装置は、所定の上りリンクサブフレーム期間に、自律送信とスケジュールド送信を同時に設定することが可能となる。
【０１１２】
端末装置は、共通ＤＣＩを読み取り、所定の上りリンクサブフレーム期間に、自律送信とスケジュールド送信が同時に設定されていることを認識した場合、さらに、自装置宛ての個別ＤＣＩを読み取りにいくことができる。端末装置は、自装置宛ての個別ＤＣＩがあり、さらに、該個別ＤＣＩに自装置への無線リソース割当を示す情報が含まれている場合、端末装置は、基地局装置に指定された無線リソースを用いて、上りリンクサブフレームを送信することができる。なお、端末装置は、スケジュールド送信する場合には、事前に、基地局装置に対して、無線リソースの割り当てを要求するスケジューリング要求を示す情報を含む信号を送信する必要がある。該スケジューリング要求を基地局装置に行った端末装置は、自律送信とスケジュールド送信が同時に設定されている上りリンクサブフレーム期間に対応する自装置宛ての個別ＤＣＩを受信していない場合、該上りリンクサブフレーム期間において、自律送信を行なわない。
【０１１３】
なお、端末装置は、自律送信を行なうか、スケジュールド送信を行なうかに依らず、上りリンクサブフレームを送信する前には、キャリアセンスを行なう必要がある。このとき、自律送信を行なう場合と、スケジュールド送信を行なう場合とで、端末装置が上りリンクサブフレームに与えるアイドル期間の位置や長さが異なっている場合、他の端末装置が正しくキャリアセンスを行なうことが出来ない。端末装置がスケジュールド送信を行なう場合、端末装置が上りリンクサブフレームに与えるアイドル期間の位置や長さは、基地局装置より送信される個別ＤＣＩ等によって設定されることができる。本実施形態に係る端末装置は、自律送信を行なう場合に、上りリンクサブフレームに与えるアイドル期間の位置や長さは、予め基地局装置に設定されたり、共通ＤＣＩ等によって、基地局装置より設
定されたりすることによって、自律送信を行なう端末装置同士で共通とすることができる。よって、本実施形態に係る基地局装置は、スケジュールド送信を行なう端末装置が上りリンクサブフレームに与えるアイドル期間の位置や長さを、自律送信を行なう端末装置が上りリンクサブフレームに与えるアイドル期間の位置や長さと共通となるように、スケジュールド送信を行なう端末装置を、個別ＤＣＩ等を用いて、設定することができる。このように制御することで、スケジュールド送信を行なう端末装置と、自律送信を行なう端末装置が混在する上りリンクサブフレーム期間においても、上りリンクサブフレームに与えられるアイドル期間の長さや位置が一致するから、端末装置はキャリアセンスを効率的に行なうことが可能となる。
【０１１４】
端末装置は、ランダムバックオフ動作を行なう際に、自装置が取得した乱数に基づいて算出する値（カウンター、ＣＷ）を取得することができる。本実施形態に係る端末装置は、スケジュールド送信を行なう場合と、自律送信を行なう場合とで、共通のＣＷを用いてもよいし、それぞれ独立にＣＷを用いてもよい。共通のＣＷを用いる場合は、端末装置はＣＷを１つだけ取得する。端末装置は自律送信を行なうか、スケジュールド送信を行なうかに依らず、キャリアセンスによりアンライセンスバンドがアイドル状態と判断されたらＣＷのカウントダウンを行ない、ＣＷが０となったならば、自律送信かスケジュールド送信かに依らず、上りリンクサブフレームを送信することができる。
【０１１５】
なお、本実施形態に係る端末装置は、自律送信が設定された上りリンクサブフレーム期間において、ランダムバックオフ処理を行なわずに、上りリンクサブフレームを送信しても構わない。端末装置は、所定の期間、キャリアセンスを行ない、アンライセンスバンドがアイドル状態であれば、該上りリンクサブフレーム期間で上りリンクサブフレームを送信することができる。
【０１１６】
独立のＣＷが用いられる場合、端末装置はスケジュールド送信用のＣＷ（第１のＣＷ）と自律送信用のＣＷ（第２のＣＷ）の２つのＣＷを取得する。そして、端末装置は、スケジュールド送信を行なう前に、実施するキャリアセンスによってアンライセンスバンドがアイドル状態と判断した場合には、第１のＣＷのカウントダウンを行ない、自律送信を行なう前に、実施するキャリアセンスによってアンライセンスバンドがアイドル状態と判断した場合には、第２のＣＷのカウントダウンを行なう。そして、第１のＣＷが０となれば、スケジュールド送信を行ない、第２のＣＷが０となれば、自律送信を行なうことが可能となる。なお、第１のＣＷを算出する際に生成する乱数の最大値の候補と、第２のＣＷを算出する際に生成する乱数の最大値の候補は、共通でもよいし、異なる値でもよい。
【０１１７】
本実施形態に係る端末装置は、複数のＳｃｅｌｌを束ねたＣＡを行なうことが可能である。本実施形態に係る基地局装置は、端末装置にＳｃｅｌｌが設定されている複数のＣＣ毎に、自律送信が設定されているか否かを示す情報を、端末装置に通知することができる。例えば、基地局装置は、獲得したＭＣＯＴ内で、上りリンクサブフレーム期間の前に送信する下りリンクサブフレームを、複数のＳｃｅｌｌを束ねたＣＡで送信していた場合、各ＣＣで送信するＤＣＩに、該ＣＣが、該ＭＣＯＴ内において、上りリンクサブフレーム期間において自律送信が設定されているか否かを示す情報を含めることができる。自律送信でＣＡを実施する端末装置は、自律送信が設定されているＣＣを束ねたＣＡによって、上りリンクサブフレームを送信することができる。なお、端末装置が自律送信でＣＡを実施する際の最大ＣＡ数は、基地局装置より設定されることができる。本実施形態に係る基地局装置は、自律送信を設定した上りリンクサブフレーム期間に関して、上記の最大ＣＡ数を端末装置に通知することができるし、端末装置が設定するＣＡ数を、予め設定しておくこともできる。
【０１１８】
本実施形態に係る端末装置は、自律送信を用いて、上りリンクサブフレームを送信する
場合、ＭＣＳや空間ストリーム数を固定的に用いることができる。この場合、ＭＣＳや空間ストリーム数は、予め基地局装置に設定されることができる。基地局装置が、ＭＣＳや空間ストリーム数を設定するのは、端末装置が基地局装置に接続する場合でも良いし、基地局装置は所定の上りリンクサブフレーム期間に自律送信が設定されたことを示す共通ＤＣＩに、ＭＣＳや空間ストリーム数を記載してもよい。
【０１１９】
本実施形態に係る端末装置が、自律送信を用いて、上りリンクサブフレームを送信した場合、当然、基地局装置は、該端末装置が上りリンクサブフレームを送信することを予め認識しておくことはできない。そのため、複数の端末装置が同時に上りリンクサブフレームを同じインターレース設定によって送信した場合等は、基地局装置は、上りリンクサブフレームを正しく復調することが出来ず、最悪、他のシステムが当該信号を送信したものと判断してしまう可能性がある。この場合、当然、基地局装置は、該端末装置に対して、該上りリンクサブフレームを正しく受信できたかを示す肯定応答、もしくは正しく受信できなかったことを示す否定応答の何れも送信することができない。よって、該端末装置は、再送すべきか、新しいデータを送信すべきか、判断することが出来なくなってしまう。なお、当然であるが、基地局装置は、自律送信を設定した上りリンクサブフレーム期間において、上りリンクサブフレームを受信し、少なくとも、該上りリンクサブフレームを送信した端末装置を示す情報を取得できた場合には、該端末装置に対して、肯定応答もしくは否定応答を送信することができる。
【０１２０】
そこで本実施形態に係る端末装置は、自装置が自律送信を用いて上りリンクサブフレームを送信したあと、所定の期間、基地局装置より肯定応答もしくは否定応答の何れも送信されなかった場合、自装置が送信した上りリンクサブフレームは、正しく受信されなかったと判断して、該上りリンクサブフレームを再送することができる。該所定の期間は、基地局装置が端末装置に設定することができる。例えば、所定の期間を示す値がＸミリ秒（ｍｓ）であれば、端末装置は上りリンクサブフレームを送信してから、Ｘｍｓ後に基地局装置より送信される下りリンクサブフレームに肯定応答もしくは否定応答が含まれていなければ、自装置が送信した上りリンクサブフレームは、正しく受信されなかったと判断することができる。また、同じく所定の期間を示す値がＸｍｓであった場合に、端末装置は上りリンクサブフレームを送信してから、Ｘｍｓ以内に基地局装置より送信される下りリンクサブフレームに肯定応答もしくは否定応答が含まれていなければ、自装置が送信した上りリンクサブフレームは、正しく受信されなかったと判断することができる。所定の期間を示す値の単位は、絶対時間でも良いし、サブフレーム数やスロット数やフレーム数でもよい。
【０１２１】
また、本実施形態に係る基地局装置は、自律送信を設定した上りリンクサブフレーム期間の後に、送信する下りリンクサブフレームに、該上りリンクサブフレーム期間で信号を受信したか否かを示す情報（受信応答）を、例えば共通ＤＣＩとして、含めることができる。ここでは、基地局装置が受信した信号の種類は問わず、何らかの信号を当該上りリンクサブフレーム期間（もしくは当該上りリンクサブフレーム期間で、自律送信に割り当てた無線リソース）で受信したか否かを示す情報を共通ＤＣＩに含めることができる。この共通ＤＣＩを読み取ることで、端末装置は、少なくとも当該上りリンクサブフレーム期間で、基地局装置が受信動作によって、何らかの信号を受信できたことを認識できる。そして、基地局装置は、さらに該上りリンクサブフレーム期間において、上りリンクサブフレームを受信し、少なくとも、該上りリンクサブフレームを送信した端末装置を示す情報を取得できた場合には、当該端末装置宛てに個別に、例えば、個別ＤＣＩに含めて、肯定応答もしくは否定応答を通知することができる。基地局装置が、該上りリンクサブフレーム期間において、信号を受信したか否かは、例えば、キャリアセンス部のキャリアセンス動作によって行われることができる。基地局装置は、キャリアセンス部が、該サブフレーム期間において、アンライセンスバンドがビジー状態と判断した場合、受信応答を送信する
ことができる。
【０１２２】
端末装置が、信号を受信したことを示す共通ＤＣＩを受信し、さらに、肯定応答もしくは否定応答を含む個別ＤＣＩを受信した場合、端末装置は、自装置が送信した上りリンクサブフレームは、少なくとも基地局装置に到達したと認識することができる。この場合、もし否定応答を基地局装置より取得した場合、誤った原因は、熱雑音等に起因する可能性が高いため、再送を行なう場合には、初送時に用いたＲＶとは異なるＲＶが設定されたパケットを送信することができる。一方、肯定応答を基地局装置より取得した場合には、新しいパケットを送信すればよい。
【０１２３】
なお、本実施形態に係る端末装置は自律送信を行なう場合と、スケジュールド送信を行なう場合とで、選択可能なＲＶの候補数を変えることも可能である。例えば、スケジュールド送信のＲＶの候補数が４なのに対して、自律送信のＲＶの候補数を２とすることができる。このように設定することで、基地局装置は、端末装置が自律送信を用いて送信している上りリンクサブフレームのＲＶを容易に推定することができる。当然、自律送信のＲＶの候補数を１とすることにより、基地局装置は、端末装置が自律送信を用いて送信している上りリンクサブフレームのＲＶの推定に係る処理を無くすことも可能である。ＲＶの候補数は、基地局装置が端末装置に設定することが可能である。
【０１２４】
端末装置が、信号を受信したことを示す共通ＤＣＩを受信した一方で、肯定応答もしくは否定応答を含む個別ＤＣＩを受信しなかった場合、端末装置は、自装置が送信した上りリンクサブフレームは、基地局装置に少なくとも、その送信元端末装置を認識できていないと認識することができる。この場合、端末装置は再送を試みることになるが、自装置が送信した上りリンクサブフレームは、他の端末装置が送信した上りリンクサブフレームと衝突している可能性が高いため、初送パケットを改めて自律送信によって、送信することや、他の端末装置との衝突を回避するために、基地局装置にスケジューリング要求を送信することも可能である。
【０１２５】
端末装置が、信号を受信したことを示す共通ＤＣＩを受信しなかった場合、端末装置は、自律送信が設定された上りリンクサブフレーム期間において送信した上りリンクサブフレームが基地局装置に物理的に到達していないことを認識することができる。この場合、端末装置は、再送を行なう場合には、送信電力を上げることができる。また、ＣＡによって送信していた場合、ＣＡを行なわずに、１つのＣＣで再送を行なうことができる。なお、端末装置は、Ｓｃｅｌｌで自律送信を行なっている場合に、Ｐｃｅｌｌにおいて、Ｓｃｅｌｌで自律送信を行なっている旨を、基地局装置に通知することができる。もし基地局装置がＰｃｅｌｌで送られる信号に基づいて、端末装置がＳｃｅｌｌで自律送信を行なっていることを認識できれば、Ｓｃｅｌｌで該端末装置が送信した上りリンクサブフレームについて、少なくとも該上りリンクサブフレームの送信元端末装置を示す情報が取得できずとも、否定応答を該端末装置に基地局装置は送信することができる。また、基地局装置は、Ｓｃｅｌｌで自律送信を設定した上りリンクサブフレーム期間において、信号を正しく受信できていない旨を、Ｐｃｅｌｌを用いて端末装置に通知することができる。もし端末装置が、Ｐｃｅｌｌで送られる信号に基づいて、基地局装置がＳｃｅｌｌで信号を正しく受信できていないことを認識できれば、端末装置は、再送動作を実施することができる。
【０１２６】
以上、説明してきた方法では、自律送信が設定される上りリンクサブフレーム期間は、基地局装置が獲得したＭＣＯＴ内に設定された上りリンクサブフレーム期間であることを前提としている。本実施形態に係る端末装置は、基地局装置が獲得したＭＣＯＴ外に設定された上りリンクサブフレーム期間においても、説明してきた方法により、自律送信を行なうことが可能である。
【０１２７】
以上、説明してきた方法では、端末装置がアンライセンスバンドで上りリンクサブフレームを自律送信できるのは、ライセンスバンドとの間でＣＡが設定される場合を前提としている。本実施形態に係る基地局装置及び端末装置は、ライセンスバンドとの間でＣＡが設定されていない場合（すなわち、アンライセンスバンドのみで基地局装置とデータ通信を行なっている場合）においても、端末装置は自律送信を行なうことができるし、基地局装置は、これまで説明してきた通信方式の設定などを行なうことができる。
【０１２８】
なお、基地局装置は、自律送信を設定した場合と、スケジュールド送信を設定した場合（つまり、自律送信を設定しない場合）とで、上りリンクサブフレームに設定するサブキャリア間隔を変更するように設定しても構わない。例えば、基地局装置は、スケジュールド送信を設定する場合には、サブキャリア間隔として、６０ｋＨｚを設定し、自律送信を設定する場合には、サブキャリア間隔として、１５ｋＨｚを設定することができる。基地局装置は、上りリンクサブフレームに設定した通信方式とサブキャリア間隔を示す情報を、抱き合わせて、端末装置に通知することができる。
【０１２９】
また、端末装置は、自装置が自律送信に参加できることを、端末機能情報、端末カテゴリー情報等を用いて、基地局装置に通知することができる。
【０１３０】
図３は、本実施形態における基地局装置１Ａの構成を示す概略ブロック図である。図３に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５、キャリアセンス部（キャリアセンスステップ）１０６を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【０１３１】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【０１３２】
上位層処理部１０１は、端末装置の機能（UE capability）等、端末装置に関する情報
を端末装置から受信する。言い換えると、端末装置は、自身の機能を基地局装置に上位層の信号で送信する。
【０１３３】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【０１３４】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（
パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【０１３５】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【０１３６】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【０１３７】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【０１３８】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。また制御部１０２は、アンライセンスバンドで通信する場合、上位層処理部１０１から入力された情報に基づいて、キャリアセンス部１０６を制御してキャリアセンスを行い、チャネル占有時間を確保する。また制御部１０２は、キャリアセンスに成功した後、リソース確保信号や送信信号等を送信するように送信部１０３を制御する。
【０１３９】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【０１４０】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、Ｑ
ＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１４１】
下りリンク参照信号生成部１０３３は、基地局装置１Ａを識別するための物理セル識別子（ＰＣＩ、セルＩＤ）などを基に予め定められた規則で求まる、端末装置２Ａが既知の系列を下りリンク参照信号として生成する。
【０１４２】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソース
エレメントに配置する。
【０１４３】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１４４】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【０１４５】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１４６】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【０１４７】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【０１４８】
また、多重分離部１０４２は、ＰＵＣＣＨとＰＵＳＣＨの伝搬路の補償を行なう。また、多重分離部１０４２は、上りリンク参照信号を分離する。
【０１４９】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１５０】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１５１】
キャリアセンス部１０６は、チャネルプライオリティクラスやチャネルアクセスタイプに応じて、キャリアセンスを行い、チャネル占有時間を確保する。
【０１５２】
図４は、本実施形態における端末装置２の構成を示す概略ブロック図である。図４に示すように、端末装置２Ａは、上位層処理部（上位層処理ステップ）２０１、制御部（制御ステップ）２０２、送信部（送信ステップ）２０３、受信部（受信ステップ）２０４、チ
ャネル状態情報生成部（チャネル状態情報生成ステップ）２０５と送受信アンテナ２０６、キャリアセンス部（キャリアセンスステップ）２０７を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１５３】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０１５４】
上位層処理部２０１は、自端末装置がサポートしている端末装置の機能を示す情報を、送信部２０３に出力する。
【０１５５】
無線リソース制御部２０１１は、自端末装置の各種設定情報の管理をする。また、無線リソース制御部２０１１は、上りリンクの各チャネルに配置される情報を生成し、送信部２０３に出力する。
【０１５６】
無線リソース制御部２０１１は、基地局装置から送信されたＣＳＩフィードバックに関する設定情報を取得し、制御部２０２に出力する。
【０１５７】
無線リソース制御部２０１１は、基地局装置から送信されたアンライセンスバンドにおけるキャリアセンスのための情報を取得し、制御部２０２に出力する。
【０１５８】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１５９】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１６０】
制御部２０２は、チャネル状態情報生成部２０５が生成したＣＳＩを基地局装置に送信するように送信部２０３を制御する。
【０１６１】
制御部２０２は、アンライセンスバンドで通信する場合、チャネル占有時間を確保するためにキャリアセンス部２０７を制御する。また制御部２０２は、送信電力や帯域幅などからエネルギー検出閾値を算出し、キャリアセンス部２０７に出力する。
【０１６２】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１６３】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１６４】
また、無線受信部２０４１は、変換したディジタル信号からＣＰに相当する部分を除去し、ＣＰを除去した信号に対して高速フーリエ変換を行い、周波数領域の信号を抽出する。
【０１６５】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１６６】
信号検出部２０４３は、ＰＤＳＣＨ、チャネル推定値を用いて、信号検出し、上位層処理部２０１に出力する。
【０１６７】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１６８】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１６９】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１７０】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１７１】
多重部２０３４は、制御部２０２から入力された制御信号に従って、ＰＵＳＣＨの変調シンボルを並列に並び替えてから離散フーリエ変換（Discrete Fourier Transform: DFT
）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１７２】
無線送信部２０３５は、多重された信号を逆高速フーリエ変換（Inverse Fast Fourier
Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル
信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１７３】
キャリアセンス部２０７は、チャネルプライオリティクラス、チャネルアクセスタイプ及びエネルギー検出閾値などを用いてキャリアセンスを行い、チャネル占有時間を確保する。
【０１７４】
なお、端末装置２はＳＣ−ＦＤＭＡ方式に限らず、ＯＦＤＭＡ方式の変調を行うことができる。
【０１７５】
なお、本実施形態に係る装置（基地局装置、端末装置）が使用する周波数バンドは、これまで説明してきたライセンスバンドやアンライセンスバンドには限らない。本実施形態が対象とする周波数バンドには、国や地域から特定サービスへの使用許可が与えられているにも関わらず、周波数間の混信を防ぐ等の目的により、実際には使われていないホワイトバンド（ホワイトスペース）と呼ばれる周波数バンド（例えば、テレビ放送用として割り当てられたものの、地域によっては使われていない周波数バンド）や、これまで特定の事業者に排他的に割り当てられていたものの、将来的に複数の事業者で共用することが見込まれる共用周波数バンド（ライセンス共有バンド）も含まれる。
【０１７６】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１７７】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１７８】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１７９】
なお、本願発明は上述の実施形態に限定されるものではない。実施形態では、装置の一
例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１８０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１８１】
本発明は、基地局装置、端末装置および通信方法に用いて好適である。
【符号の説明】
【０１８２】
１Ａ  基地局装置
２Ａ、２Ｂ  端末装置
１０１  上位層処理部
１０２  制御部
１０３  送信部
１０４  受信部
１０５  送受信アンテナ
１０６  キャリアセンス部
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０７  キャリアセンス部
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2020057824.tif 000003
【図２】
2020057824.tif 000004
【図３】
2020057824.tif 000005
【図４】
2020057824.tif 000006